【手続補正書】
【提出日】平成17年11月24日(2005.11.24)
【手続補正１】
【補正対象書類名】明細書
【補正対象項目名】０００４
【補正方法】変更
【補正の内容】
【０００４】
このようにして受け入れられた薬品Ｍは、通常、ユーザーＵの危険物保管倉庫４に保管され、使用される場合には、先ず、固定溶解従業員によって危険物保管倉庫４から容器１が取り出され、溶解タンク５に粉体状のまま投入され、温水供給装置６から注入される温水と共に撹拌機７によって撹拌、溶解され、所定濃度に調製された溶液は送液ポンプ８によって保温装置である貯蔵タンク９に送られ、そして漂白に供せられるまでの間貯蔵される。
【手続補正２】
【補正対象書類名】明細書
【補正対象項目名】０００７
【補正方法】変更
【補正の内容】
【０００７】
しかしながら、このような薬品Ｍの輸送方法によるときは、納入業者Ａにとっては、温水により溶解されて体積が増大した薬品溶液を容量及び重量の面で制約のあるタンクローリー１０によって輸送するため、薬品のみを輸送する場合に較べ、薬品の単位当りの輸送効率が低下すると共に、輸送中に水溶液の温度が低下した（例えば１０°Ｃ以下となった）場合には水溶液が過飽和の状態となって結晶が析出する恐れがあった。従って、本薬品をとくに寒冷地区に納入する場合には輸送時間を長く取ることができず、このため輸送可能地域の範囲が制限されるという問題が多々あった。
【手続補正３】
【補正対象書類名】明細書
【補正対象項目名】００２０
【補正方法】変更
【補正の内容】
【００２０】
タンクローリー１００は、図２に側面図で示すように、トレーラー１１０とタンク１２０から成っている。
【手続補正４】
【補正対象書類名】明細書
【補正対象項目名】００２１
【補正方法】変更
【補正の内容】
【００２１】
図３はタンク１２０の構造を示すもので、（Ａ）はその側断面図を、（Ｂ）はその平面図を、（Ｃ）は（Ａ）のＸ−Ｘ断面図を示している。
【手続補正５】
【補正対象書類名】明細書
【補正対象項目名】００２５
【補正方法】変更
【補正の内容】
【００２５】
なお、図示するように、前記排気ダクト１２４ｄは吸塵フィルター１２４ｆを介して外部排気用ブロアー１２４ｂに接続されており、薬品Ｍのタンク１２０内への投下時に発生する薬品Mの粉塵を図示しない外部の容器内に集積するようになっている。なお、本実施形態では、この吸塵フィルター１２４ｆ及び外部排気用ブロアー１２４ｂに接続された排気ダクト１２４ｄはタンクローリー１００に予め備えられており、外部排気用ブロアー１２４ｂはタンクローリー１００の図示しないシャーシーに搭載された自家発電機（ブロアーモーター用電源及び内蔵攪拌機用電源）に接続されて作動されるようになっているが、これらの設備をユーザーＵ側で保有するようにした方法であってもよい。
【手続補正６】
【補正対象書類名】明細書
【補正対象項目名】００３０
【補正方法】変更
【補正の内容】
【００３０】
薬品Ｍは、通常、粉状体のまま１トン単位に上述した素材から成る袋体１Ｆの内部に収納され、所定の安全管理基準に沿って保管される。
【手続補正７】
【補正対象書類名】明細書
【補正対象項目名】００３７
【補正方法】変更
【補正の内容】
【００３７】
薬品Ｍの投入に先立ち、ホイスト装置１３０が図５の矢印（１）のように移動され、漏斗状のホッパー１４０が開口された２つの投入口１２２位置（ａ位置、ｂ位置）に取り付けられる。その後、ホイスト装置１３０は矢印（２）、（２−１）、（２−２）、（２−３）のように移動され、予め準備された所定数量（例えば１５個）の袋体１Ｆが１個ずつ同様に把持されて各ホッパー１４０の位置（すなわちａ位置、ｂ位置）まで搬送される。なお、このホイスト装置１３０の始点から自動停止位置（各矢印で示すＸ軸、Ｙ軸方向の位置）までの距離は図示しない制御装置のメモリーに記憶されるようになっている。これにより、タンクローリー１２０の停止位置に若干ずれが生じても、薬品Ｍを収納した袋体１Ｆを常に投入口１２２に正確に搬送することができる。この結果、薬品投入の作業を熟練度のない人でもすることができ、作業の確度向上と作業時間の短縮を図ることができる。
【手続補正８】
【補正対象書類名】明細書
【補正対象項目名】００３８
【補正方法】変更
【補正の内容】
【００３８】
ホイスト装置１３０により袋体１Ｆがホッパー１４０の位置に搬送されると、ワイヤー１３２が矢印（３）のように下降し、ホッパー１４０内に入る。その後、袋体１Ｆは、後述するように刃体により開封され、薬品Ｍが粉体状のままタンク１２０の内部に貯留される。
【手続補正９】
【補正対象書類名】明細書
【補正対象項目名】００３９
【補正方法】変更
【補正の内容】
【００３９】
図７は、カップリング機構１３５及びその作動方法を示したものである。カップリング機構１３５は開閉可能な凹カップリング１３５ａと袋体１Ｆの上部に載置される凸カップリング１３５ｂとから成り、（Ａ）に示すように凹カップリング１３５ａを開いた状態でワイヤー１３２を凸カップリング１３５ｂ位置まで下降させ、（Ｂ）に示すように凸カップリング１３５ｂと係合したときに凹カップリング１３５ａを閉じて袋体１Ｆを上方に引き上げるようになっている。なお、内部の薬品Ｍがタンク１２０の内部に貯留された後の空の袋体１Ｆは、図５の矢印（４）のように搬送され、回収箱１６０に回収される。
【手続補正１０】
【補正対象書類名】明細書
【補正対象項目名】００４５
【補正方法】変更
【補正の内容】
【００４５】
このようにして内部の薬品Ｍが取り出され、空になった袋体１Ｆはホイスト装置１３０により吊り上げられる。このとき閉じられていた遮蔽蓋１４０ｃは袋体１Ｆの上部に取り付けられた凸カップリング１３５ｂにより跳ね上げられて自動的に開かれる。その後、空の袋体１Ｆは、前述したように、ホイスト装置１３０により図５及び図６に矢印（４）で示す経路に沿って搬送され、回収箱１６０に回収される。このとき、凸カップリング１３５ｂは袋体１Ｆから取り外され、再利用に供せられる。なお、切開され使用ができなくなった袋体１Ｆは産業廃棄物として処理される。
【手続補正１１】
【補正対象書類名】明細書
【補正対象項目名】００４９
【補正方法】変更
【補正の内容】
【００４９】
このタンク１２０の内部には重量にして約１５トンの、容量がタンク１２０の容積の約３０％を占める薬品Ｍが貯留されている。本輸送方法によれば、薬品Ｍをこのように粉体状のまま、かつ一度に大量に輸送することができるので、輸送効率が極めて良好となる利点がある。また、薬品Ｍが気温の高低に影響されないので、遠隔の寒冷地へも安心して輸送することができる。なお、前述したように、タンクローリー１００による薬品Ｍの輸送に際しては、危険薬品の取り扱い資格を有する者が運転ないし添乗することが作業効率及び経費の面で望ましい。
【手続補正１２】
【補正対象書類名】明細書
【補正対象項目名】００５６
【補正方法】変更
【補正の内容】
【００５６】
この後、前述した自家発電機の電源が接続され、これにより攪拌機１２３ｋが上昇する。この攪拌機１２３ｋの本体外周には、図１１（Ａ）（Ｂ）に示すように、プロペラ（回転羽根）１２３ｐを支持する回転軸１２３ｓの回転方向と逆方向に溝１２３ｇが施されており、この溝１２３ｇにタンクローリー１００本体に施されたピンが嵌められている。薬品Ｍが完全に溶解していない初期状態ではプロペラ１２３ｐの反動トルクが強く攪拌機１２３ｋ本体が逆回転し逆溝１２３ｇにより攪拌機１２３ｋが上昇し、最上部でロックされる。攪拌機１２３ｋの上昇と共に回転軸１２３ｓも上昇し、軸端部がタンク１２０の底面に設けられた撹拌機軸保護器具１２３ｙから外れて自由回転が可能となる。なお、本実施形態では、攪拌装置１２３をタンクローリー１００に備える方法となっているが、この設備をユーザーＵ側で保有する方法とすることも可能である。このようにすると、タンクローリー１００の構造をシンプルにすることができる。
【手続補正１３】
【補正対象書類名】明細書
【補正対象項目名】００６５
【補正方法】変更
【補正の内容】
【００６５】
【図１】本発明の一実施形態に係わる薬品の輸送方法の概要を示すフロー図である。
【図２】上記薬品の輸送に使用されるタンクローリーの側面図である。
【図３】上記タンクローリーのタンクの内部構造を示すもので、（Ａ）は側面図、（Ｂ）は平面図、（Ｃ）は（Ａ）のＸ−Ｘ断面図である。
【図４】上記タンクの外観を示す斜視図である。
【図５】薬品をタンクローリーのタンク内に投下し貯留する方法を示す平面図である。
【図６】図５の側面図である。
【図７】薬品収納袋体を着脱するカップリング機構の正面図で、（Ａ）は装着前を、（Ｂ）は装着時を示したものである。
【図８】重量検知式の自動振落とし機構の正面図である。
【図９】薬品収納袋体が開封される状態を示す断面図である。
【図１０】薬品がタンク内で撹拌、溶解され、溶解された薬品水溶液がユーザー側の貯蔵タンクに供給される様子を示す断面図である。
【図１１】撹拌装置の構造を示す断面図で、（Ａ）は撹拌機が内蔵されている状態図、（Ｂ）は上昇した状態図である。
【図１２】従来の薬品輸送方法の説明図である。
【図１３】従来の他の薬品輸送方法の説明図である。
【手続補正１４】
【補正対象書類名】図面
【補正対象項目名】図５
【補正方法】変更
【補正の内容】
【図５】
2005271979.tif 000001
【手続補正１５】
【補正対象書類名】図面
【補正対象項目名】図６
【補正方法】変更
【補正の内容】
【図６】
2005271979.tif 000002